(57)【特許請求の範囲】
【請求項１】
建物の開口部を開閉する開閉装置に対し、その室内側に配置される少なくとも２枚のブラインド格子を備え、
これら内外ブラインド格子は、開閉可能に配置されている少なくとも１組の複数のスラットとクレセントを備えると共に、
下枠にはレール、上枠にはスライド下向片がそれぞれ形成され、且つ、既設の開口部の木額（額縁）を介して固定される枠体であって、これらの各レールの間隔、各スライド下向片の間隔は、前記ブラインド格子のスラットを開いた状態で、各ブラインド格子が引違い可能な所定間隔であって、該所定間隔はスラットが内ブラインド格子の竪框から突出する最大幅と略同一か若干の遊びを加えた寸法が取られている室内用防犯ブラインドアマドであって、
前記内ブラインド格子には、前記所定間隔を埋める塞ぎヒレが形成され、
内ブラインド格子側にクレセント本体を、外ブラインド格子側にクレセント受を取付け、そのクレセント本体はキー付きのものを用いていることを特徴とする室内用防犯ブラインドアマド。
【請求項２】
建物の開口部を開閉する開閉装置に対し、その室内側に配置される少なくとも２枚のブラインド格子を備え、
これら内外ブラインド格子は、開閉可能に配置されている少なくとも１組の複数のスラットとクレセントを備えると共に、
下枠にはレール、上枠にはスライド下向片がそれぞれ形成され、且つ、既設の開口部の木額（額縁）を介して固定される枠体であって、外ブラインド格子と内ブラインド格子との間隔は、内ブラインド格子のスラットを開放した状態ではそのスラットが内ブラインド格子の竪框から突出して外ブラインド格子の竪框にぶつかり、内ブラインド格子のスラットを閉じた状態で引違いできるスペースを備え、
また前記ブラインド格子のスラットを閉じた状態で、内ブラインド格子と外ブラインド格子が室内の壁面に沿って引込且つ収納可能な室内用防犯ブラインドアマドであって、
内ブラインド格子側にクレセント本体を、外ブラインド格子側に、クレセント受を取付け、クレセントキーが框の最下端に落ちるキー付きのものを用い、
前記内外ブラインド格子により前記開口部を閉鎖した段階で、それらの内外ブラインド格子の無用なスライドを規制するため、各ブラインド格子又は何れかのブラインド格子の下枠に、前記額縁にロッドが出没可能で、且つ、鍵が抜き取り可能な鍵装置を取付けることを特徴とする室内用防犯ブラインドアマド。
【発明の詳細な説明】
【０００１】
【発明の属する技術分野】
この発明は、建物の開口部の室内側に配置される室内用防犯ブラインドアマド及び同格子に関する。
【０００２】
【従来の技術】
空き巣、居直り強盗等、社会不安を引き起こす犯罪の発生件数が高水準で推移している。
空き巣の家屋侵入の手口には、ピッキング等で玄関から侵入する場合の他、窓ガラスを割って、クレセント等を開錠して侵入する場合も多い。段上への足場があれば、２階等のベランダからも室内に侵入してくるケースもある。
この「ガラス破り」の対策には、補助鍵の設置、合わせガラスの導入等が奨励されている。
【０００３】
サッシメーカとしての出願人は、その独自の技術を用いて、窓の防犯機能を徹底的に高めることができる製品を社会に提供するため、従来から自社で開発している開口部外装装置に着目した。
この開口部外装装置は、防風、防雨、防犯、プライバシーの保護の機能を保持させつつ、通風性、採光性を発揮できる構造となっている（例えば、特許文献１参照）。
【０００４】
【特許文献１】
特開２００２−２５６７７６（図１、図９）
【０００５】
【発明が解決しようとする課題】
【０００６】
そこで、本願では、前記開口部外装装置が持つ防犯機能やプライバシーの保護機能を重点的に追求しつつ、さらに通風性、採光性を確保できる室内用防犯ブラインドアマドおよび同格子を提供することを目的とする。
【０００７】
【課題を解決するための手段】
上記課題を解決するため、建物の開口部を開閉する開閉装置に対し、その室内側に配置される少なくとも２枚のブラインド格子を備え、これら内外ブラインド格子は、開閉可能に配置されている少なくとも１組の複数のスラットとクレセントを備えると共に、下枠にはレール、上枠にはスライド下向片がそれぞれ形成され、且つ、既設の開口部の木額（額縁）を介して固定される枠体であって、これらの各レールの間隔、各スライド下向片の間隔は、前記ブラインド格子のスラットを開いた状態で、各ブラインド格子が引違い可能な所定間隔であって、該所定間隔はスラットが内ブラインド格子の竪框から突出する最大幅と略同一か若干の遊びを加えた寸法が取られている室内用防犯ブラインドアマドであって、前記内ブラインド格子には、前記所定間隔を埋める塞ぎヒレが形成され、内ブラインド格子側にクレセント本体を、外ブラインド格子側にクレセント受を取付け、そのクレセント本体はキー付きのものを用いていることを特徴とする室内用防犯ブラインドアマドとした（請求項１に記載の発明）。
この発明は、主に室外側の前記開閉装置が居室等の開口部に取付けられたガラス障子、テラス窓等である場合を想定した室内用防犯ブラインドアマドである（以下、室内用防犯引違ブラインドアマドと称する）。
この室内用防犯引違ブラインドアマドは、２枚のブラインド格子を想定しているが、３枚、４枚、それ以上でもよい。
なお、室外側にガラス障子等の他、雨戸等が建物開口部に組付けられていても、本発明のアマドを取付けることができる。以下に説明する室内用防犯ブラインドアマド、格子も同様である。
１組の複数枚のスラットとは、後述の揺動機構により同時にスラットの開閉動作が可能な単位を意味するが、１枚のブラインド格子に対して、１組、２組、それ以上でもよい。以下に説明する室内用防犯ブラインドアマド、格子も同様である。
【０００８】
この発明によれば、ガラス障子等による施錠と、室内用防犯引違ブラインドアマドによる施錠とで、２重に施錠されるので、防犯機能が高まる。
また、施錠した状態で、スラットを開閉できるので、採光性、通風性、日照調整、外部からの視線の遮断などのプライバシー保護を確保することができる。
また、スラットの開放状態のまま、ブラインド格子が引違い可能に前記開口部に取付けられるので、内外ブラインド格子を重ねても高い採光性を維持できる。また、建物の外観に影響を与える製品（例えば、室外側に取付けられるシャッター等）の設置に制約がある場合には、防犯上の不安があるが、本発明によれば、設置の制約に抵触することなく、防犯上の不安を解消できる。即ち、窓からの防犯対策が不充分なマンション等に取付けることで、防犯機能を高めることができる。
【０００９】
上記課題を解決するため、建物の開口部を開閉する開閉装置に対し、その室内側に配置される少なくとも２枚のブラインド格子を備え、これら内外ブラインド格子は、開閉可能に配置されている少なくとも１組の複数のスラットとクレセントを備えると共に、下枠にはレール、上枠にはスライド下向片がそれぞれ形成され、且つ、既設の開口部の木額（額縁）を介して固定される枠体であって、外ブラインド格子と内ブラインド格子との間隔は、内ブラインド格子のスラットを開放した状態ではそのスラットが内ブラインド格子の竪框から突出して外ブラインド格子の竪框にぶつかり、内ブラインド格子のスラットを閉じた状態で引違いできるスペースを備え、また前記ブラインド格子のスラットを閉じた状態で、内ブラインド格子と外ブラインド格子が室内の壁面に沿って引込且つ収納可能な室内用防犯ブラインドアマドであって、内ブラインド格子側にクレセント本体を、外ブラインド格子側に、クレセント受を取付け、クレセントキーが框の最下端に落ちるキー付きのものを用い、前記内外ブラインド格子により前記開口部を閉鎖した段階で、それらの内外ブラインド格子の無用なスライドを規制するため、各ブラインド格子又は何れかのブラインド格子の下枠に、前記額縁にロッドが出没可能で、且つ、鍵が抜き取り可能な鍵装置を取付けることを特徴とする室内用防犯ブラインドアマド（請求項２に記載の発明）とした。
この発明は、上記室内用防犯引違ブラインドアマドと同様に、主に前記開閉装置として、ガラス障子等が居室等に取付けられている場合を想定した室内用防犯ブラインド格子（以下、室内用防犯引込ブラインドアマドと称する）であって、前記室内用防犯引違ブラインドアマドと略同様の作用効果を奏する。
また、この室内用防犯引込ブラインドアマドの場合、ブラインド格子のスラットを閉じた状態で、室内側に引込み可能に組付けられているので、建物の開口部を全面的に開放させることができる。
【００１０】
上記課題を解決するため、建物の開口部を開閉する開閉装置に対し、その室内側に配置される少なくとも１枚のブラインド格子を備え、前記ブラインド格子は、開閉可能に配置されている少なくとも１組の複数のスラットとクレセントを備え、室内側に内開き可能に、既設の開口部の木額（額縁）を介して固定された枠体に取付けられ、クレセントは、クレセントキーが框の最下端に落ちるキー付きのものを用い、前記枠体の室内側に網戸取付ヒレを設け、ロッド部材を前記網戸取付に埋めこむように、網目部材を取付けることを特徴とする室内用防犯ブラインドアマドとした。
この発明は、主に前記開閉装置が小窓等に取付けられた竪辷り出し窓、開き窓、上げ下げ窓、ガラスルーバー等である場合を想定した室内用防犯ブラインド格子（以下、室内用防犯内開きブラインド格子と称する）であって、上記各発明と略同様の作用効果を奏する。
【００１１】
上記各発明において、室内用防犯引違ブラインドアマド、室内用防犯引込ブラインドアマド、室内用防犯内開きブラインド格子は、それぞれ、室内のブラインド、カーテン等に代る商品であることから、明るい色で着色されることが望ましい。例示すれば、ホワイト、アイボリーホワイト等が望ましい。
なお、ここで「着色」とは、電解着色、電着塗装、静電塗装、スプレー塗装、その他の着色方法による。
【００１２】
【発明の実施の形態】
本発明に係る室内用防犯引違ブラインドアマド、室内用防犯引込ブラインドアマド、室内用防犯内開きブラインド格子毎に、図面に基づいて各構成例を説明する。
【００１３】
室内用防犯引違ブラインドアマド
図１（Ａ）は室内用防犯引違ブラインドアマドの室内側概略正面図、同図（Ｂ）及び同図（Ｃ）は同各平面図、図２は同縦断面図、図３は同横断面図である。なお、上記各図及び後述の各図において、略同一の構成は同一の符号を用いて詳細な説明を省略する。
【００１４】
前記室内用防犯引違ブラインドアマドＡは、図１〜図３に示したように、建物の開口部Ｂの開閉装置としてのガラス障子Ｇよりも室内側に配置され、且つ、２枚の内外ブラインド格子１、８からなり、各ブラインド格子１、８は施錠装置としてのクレセント９により、施錠可能に構成されている。
また、１組の複数のスラット２・・・が開閉可能に配置された内外ブラインド格子１、８は、図１（Ａ）〜（Ｃ）に図示したように、それぞれスラット２を開いた状態であっても開口部Ｂの開口幅Ｗ内において、引違い可能に前記開口部Ｂに組込まれて構成されている。
【００１５】
よって、建物の開口部Ｂに対して、前記ガラス障子Ｇによる閉鎖と、前記内外ブラインド格子１、８による閉鎖により、窓等の開口部Ｂの防犯性が厳格になっている。また、開口部Ｂの閉鎖状態で、内外ブラインド格子１，８のスラット２を開放して採光性を確保し、且つ、プライバシー保護を図ることができる。また、前記クレセント９を開錠し、内外ブラインド格子１，８をスライドさせて、前記ガラス障子Ｇのクレセント（図示せず）も開錠してガラス障子Ｇを開放した後、再度、内外ブラインド格子１，８を閉鎖して前記クレセント９を施錠したとしても、通気性及び採光性を確保できる。その他、外ブラインド格子８のスラット２を全開にし、同時に内ブラインド格子１のスラット２を全開にした状態で、内外ブラインド格子１、８を重ねるように位置させることができる。従って、開口部Ｂの略半分が完全に開放されるので、開口部Ｂの採光性をさらに確保される（図１（Ｃ）参照）。
さらに、内外ブラインド格子１、８のスラット２を開にした状態でも、内外何れかブラインドをスライドさせて開口部Ｂを開放することができるので、火災等の非常の際の脱出にも問題はない（図１（Ｃ）参照）。
【００１６】
前記内外ブラインド格子１、８は、略同一に構成されているので、以下の実施形態では、内ブランイド１を外ブラインド格子８に代表させて説明する。
内ブランイド１は、上下框１０，１１と左右竪框１２，１３から枠体が形成され、その枠体内に１組の複数の前記スラット２がそれぞれ水平方向に配列されていると共に、前記開口部Ｂをスライド可能に取付けられている。そして、前記下框１１の上方に配置した桟状部１４に揺動機構（後述）を操作する操作スライダー１５（後述）を臨ませている。
【００１７】
図３に示したように、前記左右竪框１２，１３の中空部１２１，１３１には前記揺動機構の一部が収容されている。
また、前記竪框１２、１３の室内側には、遮光片１２２、１３２が形成されている。これは、前記左右の竪框１２、１３に揺動開閉可能なスラット２を取付ける場合、スラット両端に僅かな間隙が形成されてしまい、外部からの光、室内側からの光が漏れることになることから、これを防ぐためである。
【００１８】
前記桟状部１４は、前記揺動機構の一部が組込まれるもので、上述のように操作スライダー１５を室内側に臨ませている。
【００１９】
次に、前記揺動機構の構成例を図４〜図１１に基づいて説明する。
前記揺動機構は、図４及び図５に示したように、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００２０】
前記操作スライダー１５は、摘み片１５０とスライダー本体１５１からなり、そのスライダー本体１５１が、前記桟状部１４に設けられたスライド枠１４２（図４）に沿って直線的に滑動できるように配置されている。
【００２１】
前記スライダー本体１５１の構成例を、図６に基づいて説明する。
スライダー本体１５１は、本体部１５１ａと、蓋体部１５１ｂと、本体部１５１ａと蓋体部１５１ｂを組立てるカシメ部１５１ｃからなっており、このカシメ部１５１ｃに前記摘み片１５０が固定されている。前記本体部１５１ａには、２列の孔１５１ｄ、１５１ｄが設けられており、各孔１５１ｄにスプリング１５１ｅ、ボール１５１ｆが嵌めこまれている。前記本体部１５１ａと蓋体部１５１ｂには、ねじり状の孔１５２が設けられているが、この孔１５２に形成されているクリアランスが、前記スプリング１５１ｅにより前記蓋体部１５１ｂに向かって付勢されるボール１５１ｆによって調整される。よって前記スライダー本体１５１に「ガタツキ」が生じることなく、スムーズにスライドさせることができる。
【００２２】
より詳細に「ガタツキ防止手段」を取付けた理由及び作用を図７に基づいて説明する。
前記ねじり状の孔１５２をねじりバー３の「ねじれ」にそって忠実に形成すると、操作スライダー１５を操作する際に、「ガタ」が生じる。また全てのねじりバー３に全く同一の「ねじれ」を形成させることは困難である。
よって、前記ねじり状の孔１５２にはねじりバー３のためにクリアランス（遊び）が必要になる。この場合に、このクリアランスを調整し、快適なスライド操作を実現するものが「ガタツキ防止手段」である。
【００２３】
図７に示したように、前記スプリング１５１ｅにより前記蓋体部１５１ｂに向かって付勢されるボール１５１ｆがねじりバー３に当接すると共に、操作スライダー１５のスライドにより回転する。その結果、前記ねじりバー３に作用するクリアランスＣが、適度に調整されることになり、前記スライダー本体１５１に「ガタ」が生じることなく、スムーズにスライドさせることができる。なお、前記スライダー本体１５１は、スライド枠１４２に沿って直線的に滑動できるような形状であればどのようなものでもよく、前記スイラダー１５の摘み片１５０の形状も同様に、どのようなものでもよい。
【００２４】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。例えば、図８に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、スライドバー１５のスライド幅に応じてスラット２の開閉角度を調整することができる。
【００２５】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００２６】
前記回転軸３２は、図５に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記竪框１２に設けられた孔（図示せず）から、その竪框１２の中空部１２１（図３参照）に突出され、前記第１の伝達部材５の一端５０に連結されている。
【００２７】
前記第１の伝達部材５は、竪框１２の中空部１２１に収容され、図５等に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００２８】
前記第１の伝達部材５の他端５１は、前記竪框１２の中空部１２１に沿って配置されているバー部材４の孔４０に空転可能に取付けられている。前記バー部材４は、前記第１の伝達部材５からの回転に同調させて各スラット２を回転させるもので、各スラット２の配置間隔に応じた孔４１が設けられている（図５参照）。
一方、前記バー部材４の孔４１に対応するように、前記第１の伝達部材５と略同一の形状に成形された第２の伝達部材６の一端６０が、後述のスラットホルダ７を介して前記竪框１２内に回転可能に配置されている（図５等参照）。この第２の伝達部材６の他端６１は、前記バー部材４の前記各孔４１に空転可能に配置されており、第２の伝達部材６は、その一端６０を中心にして前記第１の伝達部材５と同調して回転する。
【００２９】
前記スラットホルダ７は、図５等に示したように、前記竪框１２の中空部１２１内に臨む回転軸７０と、この回転軸７０に同軸的に固定され、且つ、竪框１２の外側面に当接する鍔部７１と、前記スラット２の側面に埋込まれる楔部７２からなっている。
【００３０】
なお、前記スラット２の他端を回転可能に保持するスラットホルダ７Ａ（図２参照）は、前記竪框１３に取付けられており、前記スラットホルダ７と同様に構成され、その楔部７２が前記スラット２の側面に埋込まれている。
上述のように、前記操作スライダー１５、ねじりバー３、バー部材４、第１の伝達部材５及び第２の伝達部材６は、前記竪框１２側に取付けられているが、竪框１３側に取付けても良い。
【００３１】
次に、前記スラット２の構成例を説明する。
スラット２は、図５等に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が竪框１２、１３の遮光片１２２、１３２（図３参照）と干渉しないような寸法に形成されていること、前記スラットホルダ７の回転軸７０の位置とスラット２の重心が略一致するように、その形状に工夫を加えたこと、及び前記中空部２１の上部室外側に消音部材２３を取付けたことである。
【００３２】
前記遮光片１２２、１３２と前記スラット上部との干渉を避けるため、スラット２の中空部２１の寸法が、スラット２の回転中心（前記第２の伝達部材６の一端６０、スラットホルダ７の回転軸７０）から遮光片１２２、１３２までの距離に比べ、短くなるように形成した。この場合に、スラット２の重心が前記板状部２２側に偏ると、スラット２の回転が重くなり、快適な操作性を害するおそれがある。
そこで、前記スラット２の中空部２１の内、前記回転中心から遮光片寄りの部分を肉厚、且つ、若干傾斜状に成型し、その重心が前記板状部２２側に偏らないようにしている。その結果、前記スラットホルダ７の回転軸７０の位置とスラット２の重心が略一致し、操作性が向上している。
【００３３】
前記消音部材２３は、例えば塩化ビニールからなるもので、各スラット２を閉じた際に、上下のスラットが当たるときに発生する音を消音すると共に、雨仕舞の機能も発揮する。
【００３４】
上記のように構成された室内用防犯引違ブラインドアマドＡは、アイボリーホワイトに着色されており、カーテン等に代えてこの室内用防犯引違ブラインドアマドＡを取付けても、意匠的に室内と調和できるようにしている。
【００３５】
次に、上記のように構成された内外ブラインド格子１，８の建物開口部Ｂに対する取付構造の１例を説明する。
図１及び図２の開口部Ｂは、既設の開口部を図示しているが、この開口部Ｂの木額（額縁）Ｂ１を介して、枠体Ｂ２を固定する。
この枠体Ｂ２の下枠にはレールＢ２０、上枠にはスライド下向片Ｂ２１がそれぞれ形成されている。
これらの各レールＢ２０の間隔、各スライド下向片Ｂ２１の間隔は、内ブラインド格子１のスラット２を開放した状態でも、引き違えるような所定間隔（スラット２を開いたときの最大幅と略同一か若干の遊びを加えた寸法Ｗ１）が取られている。
また外ブラインド格子８のスラット２を開放した状態でも、ガラス障子Ｇに接触することなく、スライドできるような所定間隔Ｗ１が取られている。
よって、上記内外ブラインド格子１，８を前記レールＢ２０及びスライド下向片Ｂ２１間にケンドンで取付ければよい。
なお、上述のように、内外ブラインド格子１，８間には、所定間隔Ｗ１の隙間ができてしまうので、図１及び図２のように、内ブラインド格子１には、その間隔を埋める塞ぎヒレ１２４が形成されている。
【００３６】
前記クレセント９は、図３のように、内ブラインド格子１側にクレセント本体を、外ブラインド格子８側に、クレセント受りを取付け、そのクレセント本体はキー付きのものを用いている。
施錠装置としては、どのような構造のクレセントでもよく、またクレセントに限定されるものでもない。
【００３７】
次に、上記のように構成された室内用防犯引違ブラインドアマドＡの使用例を、図９（ａ）〜（ｃ）及び図１０に基づいて説明する。
図９（ａ）及び（ｂ）は各スラット２が閉じた状態の要部断面図、同図（ｃ）は各スラット２を略４５度に開いた状態の要部断面図を示している。図１０は内外雨戸１、８の各スラット２が略９０度に開いた状態を並べて示した要部断面図である。
前記スラット２が図９（ａ）及び（ｂ）に示した閉鎖状態にあるときは、前記操作スライダー１５は同図に示した右端の位置にある。
この位置から前記操作スライダー１５を図面上、左方向にスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００３８】
図９（ｃ）のように、前記操作スライダー１５を中間位置まで移動させると、前記スラット２が半開される。
【００３９】
図１０のように、さらに左端まで前記操作スライダー１５をスライドさせると、スラット２が全開となる。
この時、同図のように内外ブラインド格子１、８を重ねて配置した場合の採光量は、該ブラインド格子がない場合の約７０〜８０％を確保できるようになっており、また、内外ブラインド格子１、８を重ねて配置可能になっているので、開口部Ａの半分が開放されて、採光性は十分である。
なお、各スラット２を閉じるときには、前記操作スライダー１５を右側にスライドさせればよい。
【００４０】
以上のような室内用防犯引違ブラインドアマドによれば、第１に、室外側のガラス障子Ｇと室内側の室内用防犯引違ブラインドアマドＡの２重の防犯構造であることから、防犯性が向上する。
即ち、ガラス障子Ｇのガラスが割られても防犯でき、また、スラット２，２の間から手を入れて、クレセント９を開けようとしても、クレセントキーは、框の最下端に落ちているので、室内用防犯引違ブラインドアマドＡを開けることはできない。
第２に、マンションのような集合住宅のように建物の外観に影響を与える製品の設置に制約がある場合でも、室内用防犯引違ブラインドアマドＡは設置の制約に抵触することなく、窓からの防犯対策が不充分なマンション等のテラスサッシ窓部の防犯機能を高めることができる。
第３に室内への、通気性、採光量が確保される。特に、夏季等、ガラス障子Ｇを開放しても、室内用防犯引違ブラインドアマドＡの施錠をしておけば、外部からの侵入を心配することなく、通気を確保でき、外部からの視線も遮断できる。第４に、内ブランイドサッシ１のスラット２が全開状態でも、内外ブラインド格子１、８を引違いに重ねて配置可能になっているので、人の出入りや災害時、非常時の室外への脱出にも問題はない。
第５に、前記操作スライダー１５を左右にスライドさせることで、各スラット２の開閉を行うので、開閉操作が極めて容易であり、また開閉角度を調整することにより、プライバシーの保護を図ることができる。
第６に、前記ねじりバー３のねじれ角を小さくすることにより、小さな力でスライドさせることができ、また各スラット２を略９０度の範囲で、好きな角度で固定することができる。この場合、各スラット２の開閉角度を大きくしたいときには、より大きなねじれ角のねじりバーに交換すれば良い。
第７に、ねじりバー３にはねじれ角が存在するので、スラット２を動かしても、操作スライダー１５はスライドし難く、防犯性に優れており、またねじりバー３は、その製造コストを安価に押さえることができる。
第８に、ねじりバー３のねじれ方向を逆転させて（反時計回り）成形することにより、前記操作スライダー１５が図９（ａ）及び（ｂ）に示した位置にあるときに、前記スラット２を開放状態にすることができる。
第９に、前記左右の竪框１２，１３に遮光片１２２，１３２が形成されているので、この点からもプライバシー保護や防犯性に優れている。
【００４１】
なお、前記回転軸３２の回転方向を直交させる部材を、その回転軸３２と第１の伝達部材５間に介在させることにより、前記操作スライダー１５、前記ねじりバー３及び前記回転軸３２を竪框側に配置することもできる。また、前記実施形態においては、前記各ブラインド格子１，８の框内略全面にスラットを配置していたが、框内の上部、中部或いは下部など、所定の領域に限定し、これらのスラットを揺動させる揺動機構を設けてもよい。さらに、図１１に示したように、操作スライダーの摘み片１５０を室内側に臨ませてもよい。
その他、開口部の形態は、出窓でもよいし、片引き窓でもよい。
また、この実施形態では、２枚のガラス障子であったが、４枚のガラス障子からなる場合には、同様に４枚の上記ブラインド格子を取付けてもよい。
また、室内用防犯引違ブラインドアマドＡは、室内用のサッシであることから、上記構成の内、強度、水密及び気密性を高める部分は、省くようにしてもよい。例えば、前記消音部材２３等である。
【００４２】
室内用防犯引込ブラインドアマド
図１２は室内用防犯引込ブラインドアマドの室内側概略正面図、図１３は同縦断面図である。
前記室内用防犯引込ブラインドアマドＡ１は、図１２及び図１３に示したように、建物の開口部Ｂの開閉装置としてのガラス障子Ｇよりも室内側に配置され、且つ、２組の内外ブラインド格子１、８からなり、各ブラインド格子１、８は施錠装置としてのクレセント９（図示せず）により、施錠可能に構成されている。
【００４３】
前記ガラス障子Ｇと外ブラインド格子８との間隔は、外ブラインド格子８のスラット２を開放した状態でも、ガラス障子Ｇに接触することなく、スラット２の開閉、且つ、外ブラインド格子８をスライドできるような所定間隔Ｗ１が取られている。
一方、外ブラインド格子８と内ブラインド格子１との間隔は、内ブラインド格子１のスラット２を閉じた状態で引違いできるスペースである。
よって、内外ブラインド格子１，８の見込み幅を前記室内用防犯引違ブラインドアマドＡより小さくできるが、内ブラインド格子１のスラット２は、開口部Ｂを閉鎖することを条件に開閉できるようになっている。
【００４４】
図１２に示したように、室内用防犯引込ブラインドアマドＡ１の場合には、開口部Ｂ横の室内壁面には、内外ブラインド格子１，８を室内に納めるスペースＡ１０が設けられている。
即ち、前記内外ブラインド格子１，８のスラット２を閉じた状態で、室内の壁面に沿って引込み可能に取付けられる構成となっており、このような構成により、前記開口部Ｂを全面開放できる。
なお、前記内外ブラインド格子１，８により、前記開口部Ｂを閉鎖した段階で、それらの内外ブラインド格子１，８の無用なスライドを規制するため、各ブラインド格子１，８又は何れかのブラインド格子の下枠１１に、木額Ｂ１にロッド９０が出没可能で、且つ、鍵９１が抜き取り可能な鍵装置９Ａを取付ける（図１６，図１７）。
【００４５】
その他の構成は、前記室内用防犯引違ブラインドアマドＡと同様であり、同様な作用効果を奏する。
【００４６】
室内用防犯内開きブラインド格子
図１４は室内用防犯内開きブラインド格子の室内側概略正面図、図１５は同縦断面図である。
前記室内用防犯内開きブラインド格子Ａ２は、図１４及び図１５に示したように、建物の開口部Ｂの開閉装置としての竪辷り窓Ｇよりも室内側に配置され、且つ、１枚のブラインド格子１からなり、ブラインド格子１は施錠装置としてのクレセント９により、施錠可能に構成されている。
【００４７】
このブラインド格子１は、ヒンジ等（図示せず）を介して室内側に内開き可能に前記開口部Ｂに取付けられている。
よって、このブラインド格子１を室内側に開くことで、前記竪辷り窓Ｇを開錠することができる。
前記窓Ｇとブラインド格子１との間隔は、そのスラット２を開放した状態でも、その窓Ｇに接触することがないように所定間隔Ｗ１が取られている。
【００４８】
この室内用防犯内開きブラインド格子Ａ２の室外側の開閉装置は、前記縦辷り出し窓Ｇのほか、開き窓、上げ下げ窓、ガラスルーバー等でもよい。
【００４９】
最近の住宅の小窓には、竪辷り出し窓が多く、この窓ではその外部に格子を付けることができないので、防犯上問題となっているが、この室内用防犯内開きブラインド格子Ａ２により、防犯上の問題を解決できる。
また、竪辷り出し窓Ｇと前記格子Ａ２間に網戸がある場合には、竪辷り出し窓Ｇの開閉の都度、網戸を開閉する不便さがあるが、この室内用防犯内開きブラインド格子Ａ２の枠体の室内側に網戸取付ヒレＤ１を設け、ロッド部材Ｄ２を前記網戸取付ヒレＤ１に埋めこむように、網目部材Ｄを取付けること（図１８参照）で、その不便さが解消される。
その他の構成は、前記室内用防犯引違ブラインドアマドＡと同様であり、同様な作用効果を奏する。
【００５０】
【発明の効果】
請求項１に記載の発明によれば、ガラス障子等による施錠と、室内用防犯引違ブラインドアマドによる施錠とで、２重に施錠されるので、防犯機能が高まる。また、スラットを開いた状態で、ブラインド格子を引違い可能に前記開口部に取付けられるので、スラットをそれぞれ採光性が高い状態で開放して採光性や通風性を確保することができ、また火災等の非常時の場合にも室外側に脱出できる。また、建物の外観に影響を与える製品（例えば、室外側に取付けられるシャッター等）の設置に制約がある場合には、防犯上の不安があるが、本発明によれば、設置の制約に抵触することなく、防犯上の不安を解消できる。即ち、窓からの防犯対策が不充分なマンション等に取付けることで、防犯機能を高めることができる。
【００５１】
請求項２に記載の発明によれば、前記室内用防犯引違ブラインドアマドと略同様の作用効果を奏する他、室内用防犯引込ブラインドアマドの場合、ブラインドのスラットを閉じた状態で、室内側に引込み可能に組付けられているので、建物の開口部を全面的に開放させることができる。
【図面の簡単な説明】
【図１】  （Ａ）  室内用防犯引違ブラインドアマドの室内側正面図、（Ｂ）及び（Ｃ）  同平面図、
【図２】  同縦断面図、
【図３】  同横断面図、
【図４】  揺動機構の要部断面図、
【図５】  揺動機構の分解斜視図、
【図６】  揺動機構の操作スライダーの分解斜視図、
【図７】  同操作スライダーの動作説明図、
【図８】  揺動機構のねじりバーの正面図、
【図９】  （ａ）〜（ｃ）  スラットの動作説明図、
【図１０】  スラットの動作説明図、
【図１１】  別例に係る操作スライダーの分解斜視図、
【図１２】  室内用防犯引込ブラインドアマドの室内側正面図、
【図１３】  同要部縦断面図、
【図１４】  室内用防犯内開きブラインド格子の室内側正面図、
【図１５】  同縦断面図、
【図１６】  鍵装置の透視正面図、
【図１７】  鍵装置の透視正面図、
【図１８】  網目部材の斜視図。
【符号の説明】
Ａ  室内用防犯引違ブラインドアマド
Ａ１  室内用防犯引込ブラインドアマド
Ａ２  室内用防犯内開きブラインド格子
Ｂ  開口部
Ｂ１  木額                          Ｂ２  枠体
Ｂ２０  レール                      Ｂ２１  スライド下向片
Ｇ  ガラス障子
１  ８  ブラインド格子              ２  スラット
３  ねじりバー                      ４  バー部材
５  第１の伝達部材                  ６  第２の伝達部材
７  ７Ａ  スラットホルダ            １０  上框
１１  下框                          １２  竪框
１３  竪框                          １４  中框
１５  操作スライダー
２３  消音部材                      ３０  一端
３１  他端                          ３２  回転軸
３３  軸受                          ４０  ４１  孔
５０  第１の伝達部材の一端          ５１  他端
６０  第２の伝達部材の一端          ６１  他端
７０  回転軸
７１  鍔部                          ７２  楔部
９  クレセント                      ９Ａ  鍵装置
１２１，１３１  中空部
１２２  １３２  遮光片
１５０  摘み片                      １５１  スライダー本体
１５１ａ  本体部                    １５１ｂ  蓋体部
１５１ｃ  カシメ部
１５１ｄ  孔                        １５１ｅ  スプリング
１５１ｆ  ボール                    １５２  孔
３２０  固定円柱部                  ３２１  回転部
３２２  ４角孔                      ３２３  段差
【図１】
0003689090.tif 000002
【図２】
0003689090.tif 000003
【図３】
0003689090.tif 000004
【図４】
0003689090.tif 000005
【図５】
0003689090.tif 000006
【図６】
0003689090.tif 000007
【図７】
0003689090.tif 000008
【図８】
0003689090.tif 000009
【図９】
0003689090.tif 000010
【図１０】
0003689090.tif 000011
【図１１】
0003689090.tif 000012
【図１２】
0003689090.tif 000013
【図１３】
0003689090.tif 000014
【図１４】
0003689090.tif 000015
【図１５】
0003689090.tif 000016
【図１６】
0003689090.tif 000017
【図１７】
0003689090.tif 000018
【図１８】
0003689090.tif 000019